(57)【要約】【課題】主に野球場や競技場、屋内外体育施設、建築物の柱等に設置される緩衝体において、充分な緩衝性を保持しつつ、緩衝体を薄くでき、緩衝体の材料コストおよび製造、施行コストを低減できるようにする。この利点は競技場等に緩衝体を最初に設置する段階において既に享受することができる。【解決手段】緩衝体（１）が、発泡樹脂層（１１１）を有する緩衝材（１１）を備え、該緩衝材（１１）が可撓性を有するメッシュ材（１２）によって被覆される。【選択図】図１
2012031931.tif 000002
【特許請求の範囲】
【請求項１】
緩衝材を備えた緩衝体であって、緩衝材は発泡樹脂層を有しており、
該緩衝材が可撓性を有するメッシュ材によって被覆されている事を特徴とする、緩衝体。
【請求項２】
前記緩衝材の正面、背面、及び側面が前記メッシュ材によって被覆されていることを特徴とする、請求項１に記載の緩衝体。
【請求項３】
前記緩衝材の上面及び底面が更に、前記メッシュ材によって被覆されていることを特徴とする、請求項２に記載の緩衝体。
【請求項４】
前記緩衝材は、前記発泡樹脂層と、プラスチックダンボール層とを有していることを特徴とする、請求項１から３のいずれか一つに記載の緩衝体。
【請求項５】
前記メッシュ材によって被覆された緩衝材が、緩衝体の表面を構成する表面シートを袋状に形成した袋体によって被覆されていることを特徴とする、請求項１から４のいずれか一つに記載の緩衝体。
【請求項６】
緩衝体が、発泡樹脂層を有する第二の緩衝材を更に備えており、
該第二の緩衝材は緩衝体の正面側に位置し、前記メッシュ材に被覆された緩衝材は緩衝体の背面側に位置することを特徴とする、請求項１から５のいずれか一つに記載の緩衝体。
【発明の詳細な説明】
【技術分野】
【０００１】
本発明は、主に野球場や競技場、屋内外体育施設、建築物の柱等に設置される緩衝体に関する。
【背景技術】
【０００２】
野球や陸上競技等において、競技者が勢い余ってフェンスに衝突し、負傷してしまうことを防止するため、緩衝性のフェンスが用いられている。
例えば、特許文献１には、コンクリート等のフェンス駆体に、半硬質発泡樹脂層が貼着され、さらに該半硬質発泡樹脂層の上に軟質発泡樹脂層を貼着した緩衝層の全面を覆うように表面シートが張設されており、表面シートの張設は、表面シートに適度の張力を持たせて固定されており、軟質発泡樹脂層は上部軟質発泡樹脂と中間部軟質発泡樹脂と下部軟質発泡樹脂とに分割されており、上部軟質発泡樹脂と下部軟質発泡樹脂との硬さを中間部軟質発泡樹脂の硬さより硬くした構成であることを特徴とする緩衝性フェンスが開示されている。
この緩衝性フェンスによれば、フェンス駆体側が半硬質発泡樹脂層であり、表面シート側が軟質発泡樹脂層であることで、競技者が勢い余ってフェンスに衝突した場合に、表面シートを介してまず軟質発泡樹脂層が衝突による衝撃を吸収し、この軟質発泡樹脂層に伝えられた衝撃をさらに半硬質発泡樹脂層によって吸収するため、衝突した競技者に対する負荷は低減され、充分な緩衝性を発揮することができる。
【０００３】
この緩衝性フェンスは、「緩衝性」の観点からは、充分な性能を発揮するものであった。
しかしながら、このような構成においては、その緩衝層が半硬質発泡樹脂層と軟質発泡樹脂層との２層構造となり、緩衝性フェンス自体が厚くなることが避けられなかった。
例えば特許文献１の実施例によれば、緩衝性フェンスの厚みは、半硬質発泡樹脂層が２０ｍｍ、軟質発泡樹脂層が１１０ｍｍ、表面シートに積層したウレタンフォームシートが１０ｍｍ、合わせて約１４０ｍｍの厚さとなる。
すなわち、上記緩衝性フェンスは、充分な緩衝性を発揮するための代償として厚みが増してしまうため、その分、緩衝層を構成するウレタン等の緩衝性材料を多量に使う必要が生じる。また、緩衝性フェンスを施行する現地において、フェンス駆体に半硬質発泡樹脂層を貼着し、さらに該半硬質発泡樹脂層の上に軟質発泡樹脂層を貼着する必要があるため、手間がかかり、施行が煩雑となる。このため、緩衝性フェンスの材料コストおよび製造、施行コストは増大していた。
さらに、野球場等の競技場によっては、緩衝性フェンスが厚い為、フェンスまでの規定の距離が足りなくなる恐れがあり、緩衝性フェンスを施行できない場合があった。
また、例えば柔道場等の狭い施設に上述の緩衝性フェンスを設置する場合、競技に使用できる施設内の空間が上記厚みの分だけ圧迫され、狭くなるという潜在的な問題もあった。
【０００４】
ここで、緩衝性フェンスは、屋外に設置した場合は風雨や直射日光にさらされ、屋内に設置した場合でもプレイヤーの衝突による衝撃、スパイクやボールの衝突による衝撃などにさらされ、経年劣化するものである。
その為、緩衝性フェンスの定期的なメンテナンスが必要となるが、上記緩衝性フェンスにおいては、一定期間が経過すると緩衝性フェンス自体の貼り替えが必要となり、時間的にも金銭的にもメンテナンスコストが大きいという問題があった。
【０００５】
これらの問題点を解消すべく、二層ではなく一層の薄い緩衝層を用いた緩衝性フェンスを製造した場合、厚みの問題は解消するものの、今度は緩衝性の性能が犠牲となる。
すなわち、単純に一層の薄い緩衝層を用いた場合は、競技者の衝突による衝撃を薄い緩衝層が吸収しきれず、コンクリート等からなるフェンス駆体に底づきを起こしてしまい、競技者が負傷してしまうおそれがある。
一方、この底づきを防止すべく、一層の薄い緩衝層を備えた緩衝性フェンスにおいて、緩衝層に用いられるウレタン等の緩衝性材料の密度を上げるという対策も考えられるが、この場合は緩衝層自体が硬くなってしまう為、衝突によって競技者が脳震盪を起こしてしまう等の危険性が増大する。また、密度の増大に伴って原材料も余分に必要となるため、材料コスト、製造コストの問題が解決できないことになる。
即ち、緩衝性フェンスの「緩衝性」と、「緩衝性フェンスの厚さ、材料および製造、施工コスト、競技に使用出来るスペースの広さ」とが、一方の質を向上させるともう一方の質が低下する二律背反の状態となってしまっていた。
【発明の概要】
【発明が解決しようとする課題】
【０００６】
本願発明は、上記の二律背反の問題を解決するべくなされたものであり、充分な緩衝性を保持しつつ、緩衝体を薄くでき、緩衝体の材料コストおよび製造、施行コストを低減できるような緩衝体を提供することを目的とする。
【課題を解決するための手段】
【０００７】
本発明は上記の課題を解決するためになされたものであって、コンクリートのフェンス駆体に設置される緩衝性フェンス等の用途で用いることが可能な緩衝体が、ウレタン等の発泡樹脂層を有する緩衝材を備え、該緩衝材が可撓性を有するメッシュ材で被覆されている事を特徴とする。
緩衝材をメッシュ材で被覆することにより、メッシュ材自体が隙間を保つことによって空気層を形成する上に、緩衝体が受ける衝撃に対し、緩衝材を被覆しているメッシュ材が適度な固さと抵抗力を発揮し、薄い緩衝材であっても底づきを防ぐことができ、充分な緩衝性を発揮することができる。
【０００８】
なお、メッシュ材は空気を通すので、メッシュ材で緩衝材を被覆しても、緩衝材を構成する発泡樹脂層の弾性変形を阻害することは無い。
また、メッシュ材を適宜選択することにより、緩衝体の全厚さを大きく変える事無く、低額の費用で、緩衝体の固さおよび緩衝性を調節することができる。
さらに、充分な緩衝性を保ったまま緩衝材を薄くすることができるので、緩衝材を構成する緩衝性材料が少なくて済み、メッシュ材を用いることにより緩衝体自体の材料コストを低減することができる。
【０００９】
メッシュ材による緩衝材の被覆は、緩衝材にメッシュ材を巻き付けることによって行う。例えば、緩衝材を横に一周巻くように行うことで、緩衝材の正面、背面、及び側面がメッシュ材によって被覆される。
しかしながら、緩衝材の全面、すなわち、正面、背面、側面、上面及び底面をメッシュ材で被覆してもよい。全面を被覆することにより、緩衝体に与えられた衝撃によって緩衝材がメッシュ材からはみ出てしまう不都合を防止することができる。
【００１０】
好適には、緩衝材は、前記発泡樹脂層と、プラスチックダンボール層とを有している。
メッシュ材によって被覆される緩衝材にプラスチックダンボール層が含まれることにより、後述する、メッシュ材によって被覆された緩衝材を袋体に挿入する工程において、緩衝材が折り曲がることなく袋体に挿入できるようになり、施工作業性が向上する。
なお、メッシュ材によって被覆された緩衝材において、前記発泡樹脂層は、緩衝体の正面側、すなわち外部からの衝撃を受ける側に配置される。
一方、プラスチックダンボール層は、緩衝体の背面側、すなわち緩衝体の正面とは反対側に配置される。例えば、フェンス駆体に設置される緩衝性フェンスとして該緩衝体を用いる場合には、フェンス駆体に接する側が緩衝体の背面側となる。
【００１１】
好適には、上述のようにして緩衝材をメッシュ材で被覆したものを、緩衝体の表面を構成する表面シートを袋状に形成した袋体の中に挿入する。
上記「袋体への挿入」までの工程は、緩衝体を設置したい競技場等の施行場所とは異なる場所で、別途行うことができる。この事により、以下のような施行作業上の利点を得ることができる。
上記特許文献１に記載の従来型の緩衝性フェンスでは、フェンス駆体にその場で発泡樹脂層を貼着するものであった為、緩衝性フェンスの施行工程をほとんど全て現地にて行わなければならず、施行作業が長引いてしまっていた。当然ながら、この作業を行っている間、緩衝性フェンスを設置する競技場等は、競技に使用することができない。また、緩衝性フェンスを屋外に設置する場合においては、接着剤等による貼着が完了するまでの長時間の間に雨が降って来てしまうなどの、施行作業上の不都合があった。
これに対し、本発明に係る緩衝体においては、緩衝体の設置場所以外の場所において、「緩衝材をメッシュ材で被覆したものを袋体の中に挿入する」過程までを先に完了させることができ、あとは現地において袋体を配置するのみであるので、施行作業を簡単に、短時間で行うことができる。
【００１２】
好適には、緩衝体が、発泡樹脂層を有する第二の緩衝材を更に備えていてもよい。
この第二の緩衝材は緩衝体の正面側に位置し、一方、前記メッシュ材に被覆された緩衝材は緩衝体の背面側に位置する。
第二の緩衝材をこのような位置に配置することにより、前記メッシュ材に被覆された緩衝材と緩衝体の正面側の表面との間に空気の層が一つ構築される為、緩衝体の正面側の表面を構成するシートが外部からの衝撃によって切れたり、切り傷が広がったりする事を防止できる。
また、第二の緩衝材が間に入る事により、メッシュ材に被覆された緩衝材と、第二の緩衝材との２つの緩衝部材によって、より安定した衝撃吸収を行うことができる。
【００１３】
また、本発明は、緩衝体の製造方法も対象とする。
該製造方法は、発泡樹脂層を有する緩衝材をメッシュ材によって被覆するメッシュ被覆過程と、メッシュ材によって被覆された緩衝材を表面シートでさらに被覆する表面シート被覆過程からなる。
【００１４】
上述のように、メッシュ材による緩衝材の被覆は、メッシュ材が緩衝材を横に一周巻くように、つまり、緩衝材の正面、背面、側面を被覆するように行われても良いし、緩衝材の全面、すなわち、正面、背面、側面、上面および底面を被覆するように行ってもよい。
また、好適には、緩衝材は、前記発泡樹脂層と、プラスチックダンボール層とからなる。
【００１５】
表面シート被覆過程においては、緩衝体の表面を構成する表面シートを袋状に形成した袋体の中に、メッシュ被覆過程によって被覆された緩衝材を挿入することによって、表面シートによる被覆を行ってもよい。
なお、従来例の施工法と同様に、まず、緩衝材をフェンス駆体に貼着し、その上から表面シートによって緩衝材を被覆するという方法もある。この場合であっても、「充分な緩衝性」「緩衝体の薄型化」、「緩衝体の材料コストおよび製造コストの低減」という上述の利点を享受することができる。
【００１６】
さらに好適には、前記表面シート被覆過程において、前記メッシュ材で被覆された緩衝材に加えて更に、発泡樹脂層を有する第二の緩衝材をも表面シートで被覆する。
当該表面シートによる被覆は、前記第二の緩衝材が緩衝体の正面側に位置し、前記メッシュ材で被覆された緩衝材が緩衝体の背面側に位置するように行われる。
【００１７】
すなわち、本発明は以下の通りである。
第１に、緩衝材を備えた緩衝体であって、緩衝材は発泡樹脂層を有しており、該緩衝材が可撓性を有するメッシュ材によって被覆されている事を特徴とする、緩衝体である。
第２に、前記緩衝材の正面、背面、及び側面が前記メッシュ材によって被覆されていることを特徴とする、前記第１に記載の緩衝体である。
第３に、前記緩衝材の上面及び底面が更に、前記メッシュ材によって被覆されていることを特徴とする、前記第２に記載の緩衝体である。
第４に、前記緩衝材は、前記発泡樹脂層と、プラスチックダンボール層とを有していることを特徴とする、前記第１から第３のいずれか一つに記載の緩衝体である。
第５に、前記メッシュ材によって被覆された緩衝材が、緩衝体の表面を構成する表面シートを袋状に形成した袋体によって被覆されていることを特徴とする、前記第１から第４のいずれか一つに記載の緩衝体である。
第６に、緩衝体が、発泡樹脂層を有する第二の緩衝材を更に備えており、
該第二の緩衝材は緩衝体の正面側に位置し、前記メッシュ材に被覆された緩衝材は緩衝体の背面側に位置することを特徴とする、前記第１から第５のいずれか一つに記載の緩衝体である。
第７に、緩衝体の製造方法であって、該方法は、
発泡樹脂層を有する緩衝材をメッシュ材によって被覆するメッシュ被覆過程、および、メッシュ材によって被覆された緩衝材を表面シートでさらに被覆する表面シート被覆過程を備えていることを特徴とする、緩衝体の製造方法である。
第８に、前記メッシュ被覆過程において、前記緩衝材の正面、背面、及び側面をメッシュ材によって被覆することを特徴とする、前記第７に記載の製造方法である。
第９に、前記メッシュ被覆過程において、前記緩衝材の正面、背面、側面、上面および底面をメッシュ材によって被覆することを特徴とする、前記第７に記載の製造方法である。
第１０に、前記メッシュ被覆過程における緩衝材は、前記発泡樹脂層とプラスチックダンボール層とを有するものであることを特徴とする、前記第７から第９のいずれか一つに記載の製造方法である。
第１１に、前記表面シート被覆過程とは、緩衝体の表面を構成する表面シートを袋状に形成した袋体の中に、前記メッシュ被覆過程によって被覆された緩衝材を挿入する過程である事を特徴とする、前記第７から第１０のいずれか一つに記載の製造方法である。
第１２に、前記表面シート被覆過程において、前記メッシュ材で被覆された緩衝材に加えて更に、発泡樹脂層を有する第二の緩衝材をも表面シートで被覆し、
当該表面シートによる被覆は、前記第二の緩衝材が緩衝体の正面側に位置し、前記メッシュ材で被覆された緩衝材が緩衝体の背面側に位置するように行われることを特徴とする、前記第７から第１１のいずれか一つに記載の製造方法である。
【図面の簡単な説明】
【００１８】
【図１】本発明による緩衝体の一例を示す断面図。
【図２】本発明による緩衝体の他の例を示す断面図。
【図３】緩衝材のメッシュ材による被覆を示す図。
【図４】本発明による緩衝体の表面を形成する袋体を示す図。
【図５】図４における袋体の展開図。
【図６】メッシュ材で被覆した緩衝材の袋体への挿入を示す図。
【図７】本発明による緩衝体の、フェンス駆体への固着を示す図。
【発明を実施するための形態】
【００１９】
図１および図２は、本発明による緩衝体１の例を示す断面図である。
これらの図を参照すると、競技場等に設置されているコンクリート製等のフェンス駆体２に、本発明による緩衝体１が取り付けられている。
緩衝体１は緩衝材１１を備えており、該緩衝材１１の周囲をメッシュ材１２が被覆している。
そして、メッシュ材１２で被覆された緩衝材１１が、緩衝体１の表面を構成する表面シートを袋状に形成した袋体１３の内部に挿入されている。
【００２０】
図１の態様においては、緩衝材１１は発泡樹脂層１１１を有している。
発泡樹脂層１１１の材料としては、ウレタン樹脂を発泡した発泡樹脂が好ましい。しかしながら、これに限定されるものではない。
例えば、スチレン系樹脂やポリオレフィン系樹脂、フェノール樹脂等を発泡した発泡樹脂を用いても良い。
発泡樹脂層１１１の厚さは、４０〜５０ｍｍが好ましい。
【００２１】
図２の態様においては、緩衝材１１は、前記発泡樹脂層１１１に加えて、プラスチックダンボール層１１２を有している。
発泡樹脂層１１１とプラスチックダンボール層１１２とは、接着剤等によって貼着される。
プラスチックダンボール層１１２を用いることにより、緩衝材１１の折れ曲がりを防止することができる。そのため、メッシュ材１２で被覆された緩衝材１１を袋体１３の中に挿入しやすくなる。また、フェンス駆体２に緩衝体１を固着する作業もより容易なものとなる。さらに、緩衝体１を屋外に設置する場合、雨水等がフェンス駆体２をつたって発泡樹脂層１１１に染みこむのを防止する効果も期待できる。
プラスチックダンボール層１１２の厚さは、１ｍｍ〜２０ｍｍ程度が好ましく、より好適には、５ｍｍ程度が好ましい。
【００２２】
図１および図２を参照すると、メッシュ材１２の材質や物性は、緩衝体１に加わる衝撃に対する抵抗力、緩衝体１自体の固さをどの程度にするかを考慮して、適宜決定することができる。
一例としては、ポリエステルを基布とし、ポリ塩化ビニル樹脂を用いて製造したメッシュを使用することができる。
より特定的には、平岡織染株式会社製、ターポスクリーン（登録商標）  ２類＃２０５４（質量１３０ｇ／ｍ２、密度縦２６本／２．５４ｃｍ、密度横２８本／２．５４ｃｍ、充実率０．７１０）等が好適である。
【００２３】
次に、図３を参照すると、図１および図２における緩衝材１１は、メッシュ材１２によって被覆される。図３の例においては、長方形状のメッシュ材１２のシートを緩衝材１１に横に一周巻き付け、両面テープ等で止める。
その結果、緩衝材１１は、その正面１１３、背面１１４、及び側面１１５がメッシュ材１２によって被覆されることとなる。この場合、上面１１６と底面１１７は被覆されない。
このように、緩衝材１１の上面１１６と底面１１７が被覆されないようにメッシュ材１２を巻き付けてもよいが、図示は省略するが、上面１１６と底面１１７も前記メッシュ材１２によって被覆されるよう、袋状に形成したメッシュ材１２に緩衝材１１を挿入してもよい。緩衝材１１がメッシュ材１２に完全に被覆される構成であれば、緩衝体１に与えられた衝撃によって緩衝材１１がメッシュ材１２からはみ出てしまうことを防止することができる。
【００２４】
次に、図１、図２に示されている袋体１３は、耐水性、耐候性を有する図５に見られるような表面シートを、図４にあるような略直方体の袋状に形成することで得られ、緩衝体１の表面を構成する。
耐水性、耐候性を有する表面シートとしては、例えば、ポリエステル繊維の基布を塩化ビニール樹脂でコーティングしたキャンバスシート等のポリエステル系樹脂のシートや、ナイロンターポリン等のナイロン系樹脂シート、ラバー製シート、塩化ビニール系樹脂シートやこれらと補強材とを複合したシート等が挙げられる。
【００２５】
ここで図５を参照すると、袋体１３を形成する表面シートは、正面１３１、背面１３２、側面１３３、側面１３４、上面１３５、および底面１３６の六面を有している。
図５にある表面シートを図４にあるような略直方体の袋状に形成した場合、表面シートの表側が袋体１３の表面を、すなわち緩衝体１の表面を構成する。一方、表面シートの裏側は、袋体１３の内側となる。
なお、ここで図１、図２を併せて参照すると、袋体１３がその表面を構成する緩衝体１は、背面１３２がフェンス駆体２に接するように設置されるものである。
【００２６】
表面シートを図４のような袋状に形成するには、例えば、図５における上面１３５および底面１３６を、背面１３２および側面１３４に、高周波融着等の手段によって貼着させればよい。
ここで、側面１３３は、後述する緩衝材１１及びメッシュ材１２の挿入に備えて開口したままにしておく。
なお、上記貼着は高周波融着以外の手段によって行ってもよい。例えば、ファスナーを配して該ファスナーを閉めることによって袋状への形成を行ってもよい。
【００２７】
ここで、図４および図５を参照すると、表面シートはハトメ１３７を備えていてもよい。
ハトメ１３７は一般的にはステンレス製であり、好適には、側面１３３、側面１３４、底面１３６に配されており、完成した緩衝体１の内部が完全な気密状態となってしまわないよう、空気抜きの役割を果たす。
【００２８】
図５における表面シート表側の背面１３２には、２つの舌状部材１３８、１３９が設けられている。
舌状部材１３８、１３９は、前記表面シートと同様の材質のシートを、背面１３２の長手方向の両端に、高周波融着等の手段によって固着することで設けることができる。
ここで、図７を併せて参照すると、舌状部材１３８、１３９は、完成した緩衝体１を、施工時にフェンス駆体２に固定する為に用いられる。
【００２９】
次に、図４および図５を参照すると、好適には、表面シート裏側の正面１３１には、ごく薄い第二の緩衝材１４を接着剤等により貼着してもよい。
第二の緩衝材１４は、前記発泡樹脂層１１１と同様、ウレタン樹脂を発泡した発泡樹脂が好ましい。しかしながら、これに限定されるものではなく、例えばスチレン系樹脂やポリオレフィン系樹脂、フェノール樹脂等を発泡した発泡樹脂を用いても良い。
この第二の緩衝材１４を貼着することにより、袋体１３の正面１３１と、袋体１３の中に挿入されるメッシュ材１２との間に空気の層が一つ構築される為、袋体１３の正面１３１が外部からの衝撃によって切れたり、切り傷が広がったりする事を防止できる。
また、第二の緩衝材１４が介在することにより、完成した緩衝体１の表面における、袋体１３の正面１３１が平らなものとなり、また、緩衝材１１と緩衝材１４との２つの緩衝材によってより安定した衝撃吸収を行うことができる。
第二の緩衝材１４の厚さは、１０ｍｍ程度が好適である。
【００３０】
なお、前記発泡樹脂層１１１とプラスチックダンボール層１１２との接着、第二の緩衝材１４の表面シート裏側の正面１３１への接着に用いられる接着剤としては、例えばアクリル系感圧性接着剤等を用いることができるが、これに限定されるものではない。
【００３１】
次に、図６を参照すると、上述のように緩衝材１１をメッシュ材１２で被覆したものを、表面シートを袋状に形成した袋体１３に、袋体１３の長手方向に直交する方向に挿入する。
この挿入を行う時、緩衝材１１がプラスチックダンボール層１１２を有していれば、プラスチックダンボール層１１２によって緩衝材１１の折れ曲がりが防止され、スムーズに挿入を行うことができる。
そして、側面１３３を背面１３２、上面１３５および底面１３６に高周波融着等の手段によって貼着させ、本発明に係る緩衝体１が完成する。
なお、この貼着は高周波融着以外の手段、例えばファスナー等によって行ってもよい。
【００３２】
なお、メッシュ材１２で被覆した緩衝材１１は、上述のように袋体１３の長手方向に直交する方向に挿入するのが作業効率が良いが、例えば上面１３５または底面１３６を開口したままにしておいて、袋体１３の長手方向に平行な方向に挿入してもよい。
また、図５における表面シートが展開された状態で、メッシュ材１２で被覆した緩衝材１１を表面シート裏側の背面１３２の上に乗せた後、表面シートを袋状に形成してもよい。
【００３３】
図７は、本発明に係る緩衝体１の施行工程の一例として、競技場のフェンス駆体２に緩衝体１を固着させる工程を示す図である。
この固着は、表面シートの背面１３２に設けられた舌状部材１３８、１３９を、フェンス駆体２にピンなどの固定具３で固定すればよい。
なお、本発明に係る上述の例のような緩衝体１は、緩衝材１１をメッシュ材１２で被覆したものが袋体１３内に挿入された構造となっている為、従来の緩衝性フェンスのように現地にて表面シートを張力を保持して張設する必要が無く、すでに袋状に形成された緩衝体１をフェンス駆体２に単に固定すればよいだけであるため、その施行は容易なものとなる。
【実施例】
【００３４】
以下のような構成を有する緩衝体１を製作した。
まず、発泡樹脂層１１１として、以下の物性を有する、厚さ４０ｍｍの、連続気泡のウレタンフォームを用いた。
・見掛密度（ｋｇ／ｍ３）が２４±２、
・４０％硬さ（Ｎ／３１４ｃｍ２）が１５０±２０、
・引張強さ（ｋＰａ）が８０以上、
・伸び（％）が１２０以上、
・引裂強さ（Ｎ／ｃｍ）が４．０以上、
・７５％圧縮残留歪（％）が８以下。
なお、試験方法はＪＩＳ  Ｋ６４００に準ずる。
【００３５】
発泡樹脂層１１１を構成する上記ウレタンフォームに、厚さ５ｍｍのプラスチックダンボール層１１２を、接着剤によって貼着し、緩衝材１１とした。
なお、この接着剤は、主剤として東洋インキ製造株式会社  製品名「オリバイン（登録商標）  ＢＰＳ  ５３７５」、硬化剤として「ＢＨＳ  ８５１５」を用いた。
【００３６】
メッシュ材１２として、平岡織染株式会社製「ターポスクリーン（登録商標）  ２類＃２０５４」を用いた。該メッシュ材１２を前記緩衝材１１に横に一周巻き付け、両面テープで止めた。
すなわち、緩衝材１１の正面１１３、背面１１４、及び側面１１５をメッシュ材１２によって被覆した。
【００３７】
袋体１３を構成する表面シートとして、株式会社クラレ製、テント生地「Ｅ５  防炎ターポセット（登録商標）」を用いた。
また、これと同じ生地を用いて、表面シートの背面１３２に舌状部材１３８、１３９を設けた。
【００３８】
該表面シート裏側の正面１３１に、第二の緩衝材１４を接着剤により貼着した。
第二の緩衝材１４としては、以下の物性を有する、厚さ１０ｍｍの、連続気泡のウレタンフォームを用いた。
・見掛密度（ｋｇ／ｍ３）が２０±１．５、
・４０％硬さ（Ｎ／３１４ｃｍ２）が１２０±２０、
・引張強さ（ｋＰａ）が７０以上、
・伸び（％）が１２０以上、
・引裂強さ（Ｎ／ｃｍ）が３．５以上、
・７５％圧縮残留歪（％）が１０以下。
なお、試験方法はＪＩＳ  Ｋ６４００に準ずる。
接着剤は、主剤として東洋インキ製造株式会社  製品名「オリバイン（登録商標）  ＢＰＳ  ５３７５」、硬化剤として「ＢＨＳ  ８５１５」を用いた。
【００３９】
そして、第二の緩衝材１４が貼着された表面シートを袋状に形成して、前記メッシュ材１２によって被覆された前記緩衝材１１をその中に挿入して、本発明に係る緩衝体１を得た。
完成した緩衝体１のサイズは、高さ１８０ｃｍ、幅９０ｃｍ、厚さ約５５ｍｍとなった。
【００４０】
このようにして完成した緩衝体１に対し、転倒衝突を想定した頭部モデルの緩衝性試験を行った。
温度１７℃、湿度５０％ＲＨ、衝突速度４ｍ／ｓ、衝突方式は壁面（振り子方式）という条件にて該試験を行ったところ、試験結果は下表のようになった。
【００４１】
【表１】
2012031931.tif 000003
【００４２】
上記表から分かるように、総合ＡＨが平均で１０１．６となり、本発明に係る緩衝体１が充分な緩衝性を発揮できることが確認された。
【符号の説明】
【００４３】
１        緩衝体
１１      緩衝材
１１１    発泡樹脂層
１１２    プラスチックダンボール層
１１３    正面
１１４    背面
１１５    側面
１１６    上面
１１７    底面
１２      メッシュ材
１３      袋体
１３１    正面
１３２    背面
１３３    側面
１３４    側面
１３５    上面
１３６    底面
１３７    ハトメ
１３８、１３９  舌状部材
１４      緩衝材
２        フェンス駆体
３        固定具
【先行技術文献】
【特許文献】
【００４４】
【特許文献１】特許第３３６２２４５号明細書
【図１】
2012031931.tif 000004
【図２】
2012031931.tif 000005
【図３】
2012031931.tif 000006
【図４】
2012031931.tif 000007
【図５】
2012031931.tif 000008
【図６】
2012031931.tif 000009
【図７】
2012031931.tif 000010